(57)【要約】      （修正有）【課題】商品に関する情報の表示面を備えた缶詰の包装用容器を提供する。【解決手段】基台紙２は、複数の折曲げ線によって、複数の部分片に分割されている。複数の折曲げ線を、後端から前端方向へ向かって、山折り線１０，山折り線１１，山折り線１２，山折り線１３，山折り線１４，山折り線１５の順に形成し、複数の部分片を、後端から前端方向へ向かって、第１の表示片３，第２の表示片４，側板５，底板６，側板７，第３の表示片８，固定片９の順に形成している。第１の表示片３と第２の表示片４とは、山折り線１０を介して連設され、第２の表示片４と側板５とは、山折り線１１を介して連設され、側板５と底板６とは、山折り線１２を介して連設され、底板６と側板７とは、山折り線１３を介して連設され、側板７と第３の表示片８とは、山折り線１４を介して連設され、第３の表示片８と固定片９とは、山折り線１５を介して連設されている。【選択図】図１
0003215358.tif 000002
【実用新案登録請求の範囲】
【請求項１】
ブランク紙の片面にのみ表示内容が印刷され、複数の連設した部分片で構成された略矩形状の基台紙を、複数の折曲げ線を折り目として同一側にのみ折曲げて、スリーブ形状を有する箱体状に組み立てられた缶詰包装用容器であって、
前記複数の部分片は、少なくとも、第１の表示片と、第２の表示片と、第３の表示片を有し、
前記複数の折曲げ線は、少なくとも、第１の山折り線と、第２の山折り線と、第３の山折り線を有し、
前記第１の表示片と前記第２の表示片とは、前記第１の山折り線を介して連設され、該第１の山折り線で折り曲げられて一つの表示蓋を構成し、該表示蓋は、前記第２の表示片に形成された前記第２の山折り線をヒンジとして回動可能に形成され、
前記第３の表示片に形成された前記第３の山折り線が、前記第２の山折り線に連結され、
少なくとも、前記第１の表示片と、前記第３の表示片とが、内容物の情報の表示手段として形成されている
ことを特徴とする缶詰包装用容器。
【請求項２】
前記複数の部分片は、さらに、底板と、該底板の両側に第４及び第５の山折り線を介してそれぞれ連設された第１の側板及び第２の側板を有し、
前記第１の側板と前記第４の山折り線との境界部近傍、及び、前記第２の側板及と前記第５の山折り線との境界部近傍には、包装される缶詰が係止可能な缶詰係止孔が、それぞれ開口されている
ことを特徴とする請求項１に記載の缶詰包装用容器。
【請求項３】
前記内容物の情報は、前記内容物の調理方法の情報であり、
前記底板には、包装される缶詰に表示された内容を視認することができる視認窓が開口され、
前記第１の表示片には、前記第２の側板に形成された間隙部に係止可能な差込片が形成されている
ことを特徴とする請求項１又は請求項２に記載の缶詰包装用容器。
【考案の詳細な説明】
【技術分野】
【０００１】
本考案は、包装用容器に関し、特に缶詰を包装する紙製の缶詰包装用容器に関するものである。
【背景技術】
【０００２】
従来から、物品の包装用容器として、種々の素材、例えば、紙、プラスチック、ガラス、金属等が用いられている。このうち、紙製の箱形状の包装用容器は、一枚以上の紙製のブランクを折り曲げたり、組立てたりして一つの箱に形成される技術が広く知られている。ただし、缶詰の紙製の包装用容器については、後述する特許文献１に記載されている程度で、一般には知られておらず、商品としても流通していないものと思われる。
【０００３】
ところで、一般的に、商品用の包装用容器の外面のいずれかの面には、商品の成分や製造者・販売者、消費期限、賞味期限、品質表示等の商品情報が記載されており、消費者は、購入前又は購入後に、商品が包装された包装用容器を手にとって、商品情報を視認することができるようにされている。また、商品の取扱説明書や使用方法等、商品情報が多い場合は、別体の紙等に印刷されたものが商品と一緒に包装用容器に収納されていることが多い。
【０００４】
以下、従来技術の箱形状の包装容器について示す。なお、箱形状とは、本体の端部が閉鎖されたものに限らず、端部閉鎖部を持たないスリーブ形状のものも含むものとする。まず、特許文献１には、「スリーブ状の包装帯では側面両端が開放しているので缶詰が不意に抜け落ちる危険があり、しかも側面に装飾、表示をすることができなかった」（特許文献１の明細書第２頁第１行乃至第５行参照。）という問題点を解決するために「天板、側板、底板、及び側板から成る筒体の少なくとも後端部が封鎖されて成る角筒状箱の前記天板の後端部よりに折線を介して内側後方に折曲げられた係止片が設けられて成る缶詰包装箱」（特許文献１の明細書「２．実用新案登録請求の範囲」参照。）が記載されている。
【０００５】
また、特許文献２には、「包装用箱の表示用の表面積を増やすことによって、通常、内容物を保管しておく包装用箱に消費者に必要な情報を十分に表示することができる表示片付包装用箱を提供することを目的」（段落「０００６」参照。）として、「糊代と第１，第２，第３，第４の側壁とが折曲線を介し折り曲げ可能に連設され、前記第１および前記第３の側壁の上方および下方には中蓋が折曲線を介し折り曲げ可能に連設され、前記第２または前記第４の側壁の上方には蓋板が折曲線を介し折り曲げ可能に連設され、前記第２または前記第４の側壁の下方には底板が折曲線を介し折り曲げ可能に連設され、前記第４の側壁には、前記第１の側壁と略同一形状の第１の表示片が、該第１の表示片には前記第２の側壁と略同一形状の第２の表示片がそれぞれ折曲線を介し折り曲げ可能に連設され、前記第２の表示片には、舌片部を有する係止片が折曲線を介し折り曲げ可能に連設され、前記第３の側壁には、箱を組み立てたときに前記舌片部の差し込みが可能な差込部が設けられていることを特徴とする表示片付包装用箱」（「請求項１」参照。）が記載されている。
【０００６】
また、特許文献３には、「流通時においては、商品容積がかさばることや折れ曲がり、破損の問題がなく、しかも需要者に対する十分な訴求力を持った表示片を有する包装用箱の提供」（段落「０００５」参照。）を課題として、「立体形状の箱枠を形成するための少なくとも３以上の側板と、当該箱枠の開放部を閉じるための少なくとも１の蓋板とを備える一枚の基板から組み立て可能な包装用箱において、側板または蓋板に連接する１の表示片と、表示片が連接する側板または蓋板に、表示片の一部を差込保持可能に係止部を設け、当該表示片の先に、更に付加表示部を設けたことを特徴とする表示片つき包装用箱」（「請求項１」参照。）が記載されている。
【先行技術文献】
【特許文献】
【０００７】
【特許文献１】実開昭６３−１３４９１１号公報
【特許文献２】特開平１０−２５０７１８号公報
【特許文献３】特許第４９４３５９６号公報
【考案の概要】
【考案が解決しようとする課題】
【０００８】
特許文献１には、「缶詰（B）を取り出すには、後端部の後板(7)を開放すればよいが、ジッパー(9)を破裂すれば簡単に取り出すことができる」（明細書第４頁第１６行乃至第１８行、第１図〜第３図参照。）と記載されているものの、缶詰商品購入者にとっては、「缶詰(B)」を「缶詰包装箱(A)」から取り出すときには、「後端部の後板(7)を開放」したり「ジッパー(9)を破裂」したりせずに、より簡単に取り出せる方が、便利である。
【０００９】
また、特許文献１の「缶詰包装箱(A)」は、「後端部を封鎖する」ために、「貼着板(5)」、「係止片(6)」、「後板(7)」、「差込片(10)」、「折込片(8)」等の部品を設けなければならず、組立も複雑となり、製造コストの低減化が図られない虞がある。さらに、「後板(7)」には「缶詰(B)に関する表示や装飾絵柄を印刷」（明細書第４頁第７行乃至第８行参照。）することができるものの、「ジッパー(9)」が形成されている「側板(2)」に「缶詰(B)に関する表示や装飾絵柄を印刷」することは困難であるので、それほど「印刷」する範囲の増加は期待できない虞がある。
【００１０】
次に、特許文献２には、「表示片５，６の表面側および裏面側には、内容物の説明等の情報を記載することができるために、その面積分だけ従来の包装用箱に比して情報量を増やすことができる。表示片５，６の裏面側および側壁１，２の表面側に印刷されている記載を見る場合には、・・・。」（段落「００１９」〜「００２０」、図１〜図４等参照。）と記載されているように、「内容物の説明等の情報」は、「表示片５，６の表面側および裏面側」に印刷する必要があるので、印刷工程が複雑になる。
【００１１】
また、特許文献２記載の「表示片付包装用箱」には、複数の「表面側の糊付部分１０１」及び「裏面側の糊付部分１０３」、端部を閉鎖するための「蓋板２０，３０」・「舌片２２，３２」・「中蓋２５，３５」等の部品を設けなければならず、組立も複雑となり、製造コストを低減することができない虞がある。
【００１２】
そして、特許文献３に記載の「表示片つき包装用箱１」においては、「表示片６」の表面及び裏面の両方に「医薬品の効能、注意書等記載事項」を印刷しようとすると、表面用の印刷工程に加え、裏面要の印刷工程が必要になり、印刷工程が複雑化する。また、「左右の開口部」を閉鎖するための「蓋板３ａ，３ｂ」、「挿入片４ａ，４ｂ」が必要になり、組立も複雑になって、製造コストを低減することができない虞がある。
【００１３】
また、特許文献３に記載の「表示片つき包装用箱１」は、図１では、「側板２ｄ」の面積と「表示片６」の面積とは、略等しいが、図４及び図５では、「表示片６」及び「付加表示部９」の面積は、「突き出た部分６ａ」の分だけ「側板２ｄ」の面積よりも小さくなっており、「医薬品の効能、注意書等記載事項」を印刷する範囲が狭くなっている。
【００１４】
特許文献２及び３に記載の発明は、包装する内容物（商品）が「医薬品」、「医薬部外品」、「化粧品」等であるので、商品を完全に包装する、表現を換えれば、包装用容器の端部を閉鎖するような構成にされているものと思われる。しかしながら、本考案は、包装する商品が、第一に缶詰を対象としているので、簡単に取り出せることが望まれる。この点、特許文献２及び３に記載の発明は、上述したように、包装用容器の端部が閉鎖されて商品が完全に包装されてしまい、商品の包装箱からの取り出しが不便であるので、缶詰の包装には不向きである。
【００１５】
そこで、本考案においては、商品情報、レシピ等の商品利用情報等の表示面（表示片）を備えた缶詰の包装用容器を提供することを目的とする。
【００１６】
また、本考案においては、缶詰商品の包装・取り出しを容易に行うことができる缶詰包装用容器を提供することを目的とする。
【００１７】
また、本考案においては、商品情報や、レシピ等の商品利用情報の表示面の印刷が、基材（例えば、矩形状のブランク紙）の片面だけで済み、製造・組立を容易に行うことができる缶詰包装用容器を提供することを目的とする。
【課題を解決するための手段】
【００１８】
上記の目的を達成するため、請求項１の考案は、ブランク紙の片面にのみ表示内容が印刷され、複数の連設した部分片で構成された略矩形状の基台紙を、複数の折曲げ線を折り目として同一側にのみ折曲げて、スリーブ形状を有する箱体状に組み立てられた缶詰包装用容器であって、前記複数の部分片は、少なくとも、第１の表示片と、第２の表示片と、第３の表示片を有し、前記複数の折曲げ線は、少なくとも、第１の山折り線と、第２の山折り線と、第３の山折り線を有し、前記第１の表示片と前記第２の表示片とは、前記第１の山折り線を介して連設され、該第１の山折り線で折り曲げられて一つの表示蓋を構成し、該表示蓋は、前記第２の表示片に形成された前記第２の山折り線をヒンジとして回動可能に形成され、前記第３の表示片に形成された前記第３の山折り線が、前記第２の山折り線に連結され、少なくとも、前記第１の表示片と、前記第３の表示片とが、内容物の情報の表示手段として形成されていることを特徴とする。
【００１９】
また、請求項２の考案は、請求項１に記載の缶詰包装用容器であって、前記複数の部分片は、さらに、底板と、該底板の両側に第４及び第５の山折り線を介してそれぞれ連設された第１の側板及び第２の側板を有し、前記第１の側板と前記第４の山折り線との境界部近傍、及び、前記第２の側板及と前記第５の山折り線との境界部近傍には、包装される缶詰が係止可能な缶詰係止孔が、それぞれ開口されていることを特徴とする。
【００２０】
また、請求項３の考案は、請求項１又は請求項２に記載の缶詰包装用容器であって、前記内容物の情報は、前記内容物の調理方法の情報であり、前記底板には、包装される缶詰に表示された内容を視認することができる視認窓が開口され、前記第１の表示片には、前記第２の側板に形成された差込孔に係止可能な差込片が形成されていることを特徴とする。
【考案の効果】
【００２１】
本考案の缶詰包装用容器によれば、特に、商品の利用情報、具体的には、缶詰の内容物のレシピを、購入者が容易に視認できる構成にしたので、消費者にとって非常に使い勝手がよいという顕著な効果を奏することができる。
【００２２】
また、本考案の缶詰包装用容器によれば、従来の表示片つきの包装用容器に比べ、表示面積を大きくすることができ、しかも表示面の印刷が片面だけで済むので製造工程を簡単化することができるという顕著な効果を奏することができる。
【００２３】
また、本考案の缶詰包装用容器によれば、従来の表示片つきの包装用容器に比べ、部品点数を少なくすることができ、基材の無駄も少なくすることができ、製造工程・組立の簡単化に加え、製造コストを低減することができるという顕著な効果を奏することができる。
【図面の簡単な説明】
【００２４】
【図１】本考案の一実施形態における缶詰包装用容器の展開図である。
【図２】本考案の一実施形態における缶詰包装用容器の斜視図である。
【図３】本考案の一実施形態における缶詰包装用容器の正面図である。
【図４】本考案の一実施形態における缶詰包装用容器の背面図である。
【図５】本考案の一実施形態における缶詰包装用容器の右側面図である。
【図６】本考案の一実施形態における缶詰包装用容器の平面図である。
【図７】本考案の一実施形態における缶詰包装用容器の底面図である。
【図８】本考案の一実施形態における缶詰包装用容器による缶詰の包装状態を説明する図である。
【図９】本考案の一実施形態における缶詰包装用容器による缶詰の包装状態を説明する図である。
【図１０】本考案の一実施形態における缶詰包装用容器の利用状態を説明する前方斜視図である。
【図１１】本考案の一実施形態における缶詰包装用容器の利用状態を説明する正面図である。
【図１２】本考案の一実施形態における缶詰包装用容器の利用状態を説明する背面図である。
【図１３】本考案の一実施形態における缶詰包装用容器の利用状態を説明する右側面図である。
【図１４】本考案の一実施形態における缶詰包装用容器の利用状態を説明する平面図である。
【図１５】本考案の一実施形態における缶詰包装用容器の利用状態を説明する前方斜視図である。
【図１６】本考案の一実施形態における缶詰包装用容器の利用状態を説明する下方斜視図である。
【図１７】本考案の一実施形態における缶詰包装用容器の利用状態を説明する後方斜視図である。
【００２５】
以下、好適な実施形態を用いて本考案をさらに具体的に説明する。但し、下記の実施形態は本考案を具現化した例に過ぎず、本考案はこれに限定されるものではない。
【００２６】
（実施形態）
本考案の一実施形態におけるに缶詰包装用容器について、図１〜図１７を参照しながら説明する。説明の便宜上、本明細書で示す上，下，左，右，前，後の方向は、図中で示す矢印の上，下，左，右，前，後の方向と対応するものとする。なお、図１は、展開図であり、図２〜図１７は、図１の展開図を折り曲げて組み立てたものであるので、図１に記載の方向と、図２〜図１７に記載の方向とは、一致しないところがある。
【００２７】
まず、本考案の缶詰包装用容器１について、図１〜図７を参照しながら説明する。図１は、缶詰包装用容器１の展開図であり、図２は、缶詰包装用容器１を前方右側からみた斜視図であり、図３は、缶詰包装用容器１の正面図であり、図４は、缶詰包装用容器１の背面図であり、図５は、缶詰包装用容器１の右側面図であり、図６は、缶詰包装用容器１の平面図であり、図７は、缶詰包装用容器１の底面図である。図１に示すように、缶詰包装用容器１の展開図は、従来技術のような周辺の突出片を設ける必要が無く、一枚の略矩形状の紙製のブランクの片面にのみ表示内容が印刷された基台紙２で構成されている。なお、説明の便宜上、基台紙２の表示内容が印刷された面を「表面」という（特に、図１参照。）。「表面」には、商品（缶詰の内容物）を消費者が直感的に想像できるようなデザインＤ１が印刷されている。本実施形態では、デザインＤ１は、内容物の手羽先を想像できるように鳥の羽を模してデザインされている。デザインＤ１は、内容物によって適宜変更されてよいし、「表面」のどの場所に印刷されてもよいが、好ましくは、本実施形態のように、表示面積が大きく、消費者が最も視認可能な個所に印刷されるとよい。また、基台紙２の「表面」には、詳細は後述するが、表示内容として、商品（缶詰の内容物）の内容、品質、製造者、販売者、商品情報が記録されたバーコード、商標等の他に、商品名や商品のレシピ（調理方法）等の情報が印刷されている。
【００２８】
基台紙２は、複数の折曲げ線によって、複数の部分片に分割されている。本実施形態では、複数の折曲げ線を、図１の後端から前端方向へ向かって、山折り線１０，山折り線１１，山折り線１２，山折り線１３，山折り線１４，山折り線１５の順に形成し、複数の部分片を、図１の後端から前端方向へ向かって、第１の表示片３，第２の表示片４，側板５，底板６，側板７，第３の表示片８，固定片９の順に形成している。第１の表示片３と第２の表示片４とは、山折り線１０を介して連設され、第２の表示片４と側板５とは、山折り線１１を介して連設され、側板５と底板６とは、山折り線１２を介して連設され、底板６と側板７とは、山折り線１３を介して連設され、側板７と第３の表示片８とは、山折り線１４を介して連設され、第３の表示片８と固定片９とは、山折り線１５を介して連設されている。本考案の缶詰包装用容器１は、基台紙２に設けられた第１の表示片３，第２の表示片４，側板５，底板６，側板７，第３の表示片８，固定片９を、山折り線１０，山折り線１１，山折り線１２，山折り線１３，山折り線１４，山折り線１５のそれぞれを折り目として、全て山折りされて組み立てることができるように形成されているので、固定片９を除く部分片の全てが外から視認可能な構成となっている。このため、表示に必要な事項・デザイン等は、全て基台紙２の片面（表面）に印刷すればよいので、製造工程が簡単である。なお、表示内容を基台紙２の裏面にのみ印刷して、山折り線を全て谷折り線に代えて、部分片を全て谷折りして組み立てるように形成してもよい。つまり、本考案の缶詰包装用容器１は、基台紙２に設けられた複数の部分片全てを折曲げ線に沿って同一側に折り曲げることで、簡単に組み立てることができる。
【００２９】
第１の表示片３の第２の表示片４との境界部近傍には、差込片３ａと掛止片３ｂが形成されている。差込片３ａは、第１の表示片３と第２の表示片４から構成される表示蓋１６（詳細は後述する。）を、側板７に形成された間隙部７ｄに係止するために設けられ、掛止片３ｂは、山折り線１０から、僅かに第１の表示片３側に突出した切片であり、表示蓋１６を開閉する際に、開閉操作がスムーズにできるように、開閉操作者の指を掛止させるために設けられている。差込片３ａ、掛止片３ｂのいずれも、第１の表示片３に切込を入れて形成され、山折り線１０に連結された状態で、第１の表示片３から分離可能に構成されている。
【００３０】
側板５の底板６との境界部近傍には、缶詰係止孔５ａが開口されている。また、側板７の底板６との境界部近傍の缶詰係止孔５ａと対応する位置には、缶詰係止孔７ａが開口されている。缶詰係止孔５ａの一部及び缶詰係止孔７ａの一部は、底板６の前端（山折り線１３）及び後端（山折り線１２）の一部を含んで形成されている。缶詰係止孔５ａ及び缶詰係止孔７ａは、缶詰を缶詰包装用容器１で包装したときに、缶詰の巻締が缶詰係止孔５ａ，７ａに係止されることで、缶詰が缶詰包装用容器１から不用意に脱落してしまうことを防ぐことができる。底板６の略中央部には、視認窓６ａが開口されている。視認窓６ａは、缶詰包装用容器１に缶詰を包装したときに、缶詰の裏面に印刷された表示事項、例えば、賞味期限や消費期限等の数字・文字等を消費者が容易に視認することができるように形成されている。
【００３１】
側板７の第３の表示片８との境界部近傍には、差込孔７ｂが開口されている。差込孔７ｂの両端には、山折り線１４に沿って切込部７ｃ，７ｃが形成されている。切込部７ｃ，７ｃと差込孔７ｂとで共通の間隙部７ｄを有し、この間隙部７ｄに差込片３ａが挿脱可能なように形成されている。差込片３ａの左右方向の最大長は、間隙部７ｄの両端間の長さよりも所定寸法分長く形成されているので、缶詰包装用容器１を利用するときに、差込片３ａを間隙部７ｄに差し込むことで、差込片３ａの両端部が間隙部７ｄに係止されて、表示蓋１６が第３の表示片８に密接されて側板７に係止されることになる。このため、表示蓋１６を閉じた状態、つまり、缶詰を包装した状態では、複数の缶詰包装用容器１を安定して積層することができ、搬送時や店舗での陳列の際に効果的である。
【００３２】
図２〜図７に示すように、本考案の包装用容器１は、基台紙２に設けられた山折り線１０，山折り線１１，山折り線１２，山折り線１３，山折り線１４，山折り線１５を折り目として、第１の表示片３，第２の表示片４，側板５，底板６，側板７，第３の表示片８，固定片９を全て同一方向に（本実施形態では、全て山折りに）折り曲げることで、簡単に組み立てられ、端部閉鎖部を持たないスリーブ状の箱体に形成される。底板６の前後両側山折り線１１，山折り線１３を折り目として側板５，７が山折りされて形成されている。第３の表示片８は、側板７の上端の山折り線１４を折り目として山折りされて、底板６の直上の位置に形成され、上蓋としての機能も有する。固定片９は、第３の表示片８の後端の山折り線１５を折り目として山折りされ、固定片９の表面と側板５の裏面とが糊付けで貼着されている。第１の表示片３は、山折り線１０を折り目として山折りされ、第１の表示片３の裏面と第２の表示片４の裏面とが糊付けで貼着され、第１の表示片３と第２の表示片４とで一体の表示蓋１６を形成している。差込片３ａは、差込孔７ｂと切込部７ｃ，７ｃとの共通の間隙部７ｄに差し込まれて、表示蓋１６が第３の表示片８に密接されて閉蓋されている。第３の表示片８の後端部（山折り線１５に相当する。）は、表示蓋１６の下端部（山折り線１１に相当する。）に連結され、表示蓋１６は、山折り線１１をヒンジ部として回動することができるので、表示蓋１６は、閉蓋することで、第３の表示片８の上蓋としての機能も備え、また、開蓋することで、第１の表示片３に印刷された表示内容と、第３の表示片８に印刷された表示内容が、同時に視認可能な構成となっている。底板６の左右端部は、閉鎖部を有せず、開口された端部開口部１７，１７が形成されている。缶詰を包装・取り出しするときには、この端部開口部１７，１７のいずれかを利用することができる。
【００３３】
ここで、本考案の缶詰包装容器１は、固定片９以外の部分片は、全て外側から消費者が視認することができるように形成されているので、第１の表示片３，第２の表示片４，側板５，底板６，側板７，第３の表示片８，差込片３ａの全ての面（表面）に、表示内容を印刷することができる。表示内容（不図示）の一例を挙げると、第１の表示片３には商品の第１のレシピが印刷され、第２の表示片４には商品内容の概要が印刷され、側板５には販売者名が印刷され、底板６には品質表示・栄養成分表示・製造業者名・利用上の注意事項等が印刷され、側板７には商品内容のＰＲ事項が印刷され、第３の表示片８には商品の第２のレシピが印刷され、差込片３ａにはレシピ付であることが印刷されている。缶詰を包装した状態（図８参照。）では、表示蓋１６は閉じられているので、第１の表示片３に印刷された第１のレシピと、第３の表示片８に印刷された第２のレシピは、表示蓋１６を開くことで、容易に視認することができる。つまり、本考案では、缶詰の包装状態では視認できない缶詰包装用容器の部分片を、簡単な操作により、効果的な表示のための部分片にすることができた。なお、第２の表示片４には、表示事項に加えて、前述したデザインＤ１も印刷されている。
【００３４】
スリーブ状の箱体に組み立てられた缶詰包装用容器１には、左右端に端部開口部１７，１７が形成される。図８では、右側の端部開口部１７のみ図示している。この端部開口部１７，１７のいずれか側から缶詰Ｃを挿入することで、缶詰Ｃを缶詰包装用容器１に包装することができるが、缶詰包装用容器１に缶詰Ｃを係止する手段が無い場合、包装された缶詰Ｃは簡単に包装用容器１から脱落してしまう。このため、例えば、従来技術において特許文献１では、「角筒体20」の一方のスリーブを「後板(7)」で完全に閉塞し、他方のスリーブから「缶詰(B)」を包装した後は、他方のスリーブも閉塞し、さらに、「缶詰(B)」の上面の「巻締部(C)」を「係止片(6)」に係止させることで、「缶詰(B)」の「不意の脱落を防止」して、「缶詰(B)」を取り出すときは、「角筒体20」の側面に設けられた「ジッパー(9)」を「破砕」するように構成しているが、この特許文献１の構成では、「角筒体(20)」の構造が複雑になり、缶詰の包装・取り出しが面倒である。
【００３５】
そこで、本考案の缶詰包装用容器１においては、前述した缶詰係止孔５ａ，７ａに、包装された缶詰Ｃが係止され、不用意な脱落を防止する構成にした。一般的には、缶詰の形状は円柱又は楕円柱である。本考案では、図８、図９に示すように、缶詰Ｃが楕円柱形状である場合を想定している。缶詰Ｃは、缶胴Ｃ１と缶蓋Ｃ２で構成され、缶胴Ｃ１と缶蓋Ｃ２とは、巻締Ｃ３を形成することで密封されている。巻締Ｃ３は、缶胴Ｃ１の外径よりも外側に多少突出している。つまり、巻締３で形成される楕円の短軸ａ１の長さは、缶胴Ｃ１で形成される楕円の短軸（不図示）の長さよりも長い。そして、本考案の缶詰係止孔５ａと缶詰係止孔７ａとの距離Ｗ（換言すれば、缶詰包装用容器１の幅Ｗ（前後方向の長さ））は、巻締Ｃ３で形成される楕円の短軸ａ１の長さよりも短く形成されている。したがって、缶詰Ｃを端部開孔部１７から缶詰包装用容器１に挿入したときに、巻締Ｃ３で形成される楕円の短軸ａ１の両端部が、缶詰係止孔５ａ，７ａから外側に突出することになり、この突出した部分が缶詰係止孔５ａ，７ａに係止されることになる。このため、缶詰Ｃは、この缶詰係止孔５ａ，７ａに係止されることになり、缶詰Ｃが缶詰包装用容器１から容易に（不用意に）脱落することを防止することができる。さらに、包装された缶詰Ｃを取り出すときは、いずれかの端部開口部１７，１７から操作者の手を挿入して缶詰Ｃの端部を押圧すればよい。なお、基台紙２の材質が、硬すぎたり、柔らかすぎると、巻締Ｃ３の缶詰係止孔５ａ，７ａへの係止効果が小さくなるので、基台紙２は、好適には、適度の可撓性を有する材質を利用するとよい。また、缶詰Ｃの形状については、楕円柱に限定されず、円柱でもよい。また、缶詰包装用容器１の材質は、紙に限定されず、例えば、合成樹脂（プラスチック）等、他の材質でもよい。このように、本考案の缶詰包装用容器１によれば、左右に開口した端部開口部１７，１７を設けて、缶詰Ｃの包装・取り出しを容易に行うことができるだけでなく、複雑な部品・構造等を設けることなく、側板５，７にそれぞれ缶詰係止孔５ａ，７ａを設けるだけで、包装された缶詰Ｃが簡単に脱落することを防いでいる。なお、巻締Ｃ３で形成される楕円の長軸ａ２の長さ（つまり、缶詰Ｃの長さ）は、缶詰包装用容器１の長さＬ（左右方向の長さ）以下に形成されている。
【００３６】
次に、本考案の缶詰包装用容器１の利用状態について、図１０〜図１７の説明図を参照しながら、説明する。図１０は、缶詰包装用容器１を前方からみた斜視図であり、図１１は、缶詰包装用容器１の正面図であり、図１２は、缶詰包装用容器１の背面図であり、図１３は、缶詰包装用容器１の右側面図であり、図１４は、缶詰包装用容器の平面図であり、図１５は、缶詰包装用容器１を前方からみた斜視図であり、図１６は、缶詰包装用容器１を下方からみた斜視図であり、図１７は、缶詰包装用容器１を後方からみた斜視図である。図示のように、山折り線１５と、表示蓋１６の回動部である山折り線１１とが連結されているので、本考案の缶詰包装用容器１は、消費者が、缶詰を購入した後、表示蓋１６を開くことで、表示蓋１６を構成する第１の表示片３及び第３の表示片８を視認することができるように構成されている。したがって、第１の表示片３に記載された商品（つまり、缶詰の内容物）の第１のレシピ、及び、第３の表示片８に記載された商品（つまり、缶詰の内容物）の第２のレシピを容易に視認することができる。
【００３７】
第１の表示片３、第２の表示片４、及び、第３の表示片８には、開口部や切欠部が設けられていないので、全面を表示手段として利用できる。また、第１の表示片３と第２の表示片４とで構成される表示蓋１６を開いたときに、表示蓋１６は、山折り線１１をヒンジ部として回動するので、第１の表示片３と第３の表示片８は、連設された一面の表示手段として、非常に効果的に利用することができる。本実施形態では、第１の表示片３に商品の第１のレシピが印刷されてあり、第３の表示片８に商品の第２のレシピが印刷されているので、消費者が表示蓋１６を開いたときに、商品のレシピを容易に視認することができる。なお、表示蓋１６は、消費者が缶詰を購入する前であっても、開くことは可能である。本実施形態では、第２の表示片４には、内容物の概要（不図示）と、内容物のデザインＤ１が印刷されている。
【００３８】
本考案の缶詰包装用容器１によれば、表示蓋１６を開いた状態では、缶詰包装用容器１の固定片９を除く外周面の全てを視認することができるように構成されているので、第１の表示片３、第２の表示片４、第３の表示片８以外の部分片にも表示事項を印刷することができ、また、基台紙２の片面にのみ印刷すればよいので、製造工程も簡単化することができる。
【００３９】
また、本考案の缶詰包装用容器１によれば、従来の表示片つきの包装用容器に比べ、周辺の突出片や内部の係止部材等を設ける必要が無く、部品点数を少なくすることができ、基台紙２を略矩形状に形成すればよいので、基材の無駄も少なくすることができ、製造工程・組立の簡単化に加え、製造コストを低減することができるという顕著な効果を奏することができる。
【００４０】
なお、本実施形態において、図１の展開図に示すように、固定片９の左右両端部が内側に傾斜するように形成されている、つまり、山折り線１５の長さよりも固定片９の先端部の長さが短くなるように形成されているのは、以下の理由による。仮に、山折り線１５の長さと固定片９の先端部の長さを等長に設定していた場合、基台紙２を基材からカッティング（又は、打ち抜き）加工するときに、製造バラツキにより、山折り線１５の長さよりも、固定片９の先端部の長さの方が長くなってしまう虞がある。そうすると、基台紙２を組み立てて缶詰包装用容器１を形成するときに、固定片９を山折り線１５を折り目として山折りして固定片９の表面と側板５の裏面とを貼着した際に、固定片９の先端部が側板５から左右方向にはみ出してしまう。このため、製造バラツキによらず固定片９が側板５からはみ出すことなく貼着することができるように、山折り線１５の長さよりも固定片９の先端部の長さが短くなるように形成されている。
【００４１】
ここで、固定片９は、側板５の裏面と糊付けして固定するための部分片であり、外部から視認しずらい部分にあり、表示機能も必要としないので、先端部を短く形成しても何ら問題ない。山折り線１０を折り目として山折りされ第２の表示片４と貼着される第１の表示片３を形成する際にも、同様に製造バラツキの影響を考慮する必要があるので、第１の表示片３の先端部の長さは、山折り線１０の長さよりも短くする必要があるが、第１の表示片３は表示機能を有するので、表示面積を極端に減らすことは好ましくない。そこで、第１の表示片３の先端部の長さは、好適には、製造バラツキを考慮しながら、山折り線１０の長さよりも短く、且つ、可能な限り山折り線１０の長さに近づけて設定しておくとよい。なお、製造バラツキがない、又は、考慮しない場合は、基台紙２は完全な矩形状に形成されてよい。
【符号の説明】
【００４２】
１      缶詰包装用容器
２      基台紙
３      第１の表示片
３ａ    差込片
３ｂ    掛止片
４      第２の表示片
５，７  側板
５ａ，７ａ  缶詰係止孔
６      底板
６ａ    視認窓
７ｂ    差込孔
７ｃ    切込部
７ｄ    間隙部
８      第３の表示片
９      固定片
１０，１１，１２，１３，１４，１５    山折り線
１６    表示蓋
１７    端部開口部
ａ１    短軸
ａ２    長軸
Ｃ      缶詰
Ｃ１    缶胴
Ｃ２    缶蓋
Ｃ３    巻締
【図１】
0003215358.tif 000003
【図２】
0003215358.tif 000004
【図３】
0003215358.tif 000005
【図４】
0003215358.tif 000006
【図５】
0003215358.tif 000007
【図６】
0003215358.tif 000008
【図７】
0003215358.tif 000009
【図８】
0003215358.tif 000010
【図９】
0003215358.tif 000011
【図１０】
0003215358.tif 000012
【図１１】
0003215358.tif 000013
【図１２】
0003215358.tif 000014
【図１３】
0003215358.tif 000015
【図１４】
0003215358.tif 000016
【図１５】
0003215358.tif 000017
【図１６】
0003215358.tif 000018
【図１７】
0003215358.tif 000019
【手続補正書】
【提出日】平成30年1月12日(2018.1.12)
【手続補正１】
【補正対象書類名】実用新案登録請求の範囲
【補正対象項目名】全文
【補正方法】変更
【補正の内容】
【実用新案登録請求の範囲】
【請求項１】
ブランク紙の片面にのみ表示内容が印刷され、複数の連設した部分片で構成された略矩形状の基台紙を、複数の折曲げ線を折り目として同一側にのみ折曲げて、スリーブ形状を有する箱体状に組み立てられた缶詰包装用容器であって、
前記複数の部分片は、少なくとも、第１の表示片と、第２の表示片と、第３の表示片を有し、
前記複数の折曲げ線は、少なくとも、第１の山折り線と、第２の山折り線と、第３の山折り線を有し、
前記第１の表示片と前記第２の表示片とは、前記第１の山折り線を介して連設され、該第１の山折り線で折り曲げられて一つの表示蓋を構成し、該表示蓋は、前記第２の表示片に形成された前記第２の山折り線をヒンジとして回動可能に形成され、
前記第３の表示片に形成された前記第３の山折り線が、前記第２の山折り線に連結され、
少なくとも、前記第１の表示片と、前記第３の表示片とが、内容物の情報の表示手段として形成されている
ことを特徴とする缶詰包装用容器。
【請求項２】
前記複数の部分片は、さらに、底板と、該底板の両側に第４及び第５の山折り線を介してそれぞれ連設された第１の側板及び第２の側板を有し、
前記第１の側板と前記第４の山折り線との境界部近傍、及び、前記第２の側板及と前記第５の山折り線との境界部近傍には、包装される缶詰が係止可能な缶詰係止孔が、それぞれ開口されている
ことを特徴とする請求項１に記載の缶詰包装用容器。
【請求項３】
前記内容物の情報は、前記内容物の調理方法の情報であり、
前記底板には、包装される缶詰に表示された内容を視認することができる視認窓が開口され、
前記第１の表示片には、前記第２の側板に形成された間隙部に係止可能な差込片が形成されている
ことを特徴とする請求項２に記載の缶詰包装用容器。